(57)【要約】【課題】幼い子供たちでも楽しく歯磨きを行って自然に歯磨きの習慣を持たせるようにすることができる歯ブラシを提供すること。【解決手段】歯ブラシ１の植毛部１ａ及び／又はハンドル部１ｂに、意匠１１ａを描いた一次層１１と、この一次層１１を隠蔽するように水反応剤にて印刷した二次層１２とを形成する。【選択図】図１
2010005107.tif 000002
【特許請求の範囲】
【請求項１】
歯ブラシの植毛部及び／又はハンドル部に、意匠を描いた一次層と、該一次層を隠蔽するように水反応剤にて印刷した二次層とを形成したことを特徴とする歯ブラシ。
【請求項２】
歯ブラシのハンドル部内に導水部を介して２つの中空室を形成し、その一方の中空室の内表面に、意匠を描いた一次層を隠蔽するように水反応剤にて印刷した二次層を形成し、他方の中空室内に水を封入したことを特徴とする請求項１記載の歯ブラシ。
【請求項３】
導水部に通水量の制限機構を配設し、歯ブラシが動かされることによって、他方の中空室から一方の中空室に、漸次、水が移動するようにしたことを特徴とする請求項２記載の歯ブラシ。
【発明の詳細な説明】
【技術分野】
【０００１】
本発明は、歯ブラシに関し、特に、未だ歯磨きの習慣を持たない幼い子供たちにも、自然に歯磨きの習慣を持たせるようにするための歯ブラシに関するものである。
【背景技術】
【０００２】
幼い子供たちでも長期に亘って食後或いは就寝前に歯磨きを行わないと、乳歯にも虫歯が発生する。
幼児の虫歯治療には、痛みだけでなく不必要な恐怖心を抱く故に大人以上の困難を伴うものとなっている。
このため、幼児期から歯磨きをする習慣を培えるよう、また、幼い子供たちが楽しく歯磨きを行えるように、歯ブラシには、色々の形状や色彩、アニメ等のキャラクターを付したもの等が実用化されている。
【０００３】
しかしながら、形状や色彩、キャラクターは、歯磨きの前後においても、何の変化ももたらすことがない。
このため、新しい歯ブラシを購入した初期の段階では、幼い子供たちも興味を持って歯磨きを行うが、毎日同じ歯ブラシを用いて繰り返し使用していると、幼い子供たちにも飽きが生じて歯磨きを習慣づけするまでには至らない。歯磨きを習慣づけるまで子供たちが飽きないよう、次々と新しい歯ブラシを買い換えねばならないという問題があった。
【発明の開示】
【発明が解決しようとする課題】
【０００４】
本発明は、歯ブラシの有する問題点に鑑み、幼い子供たちでも楽しく歯磨きを行って自然に歯磨きの習慣を持たせるようにすることができる歯ブラシを提供することを目的とする。
【課題を解決するための手段】
【０００５】
上記目的を達成するため、本発明の歯ブラシは、歯ブラシの植毛部及び／又はハンドル部に、意匠を描いた一次層と、該一次層を隠蔽するように水反応剤にて印刷した二次層とを形成したことを特徴とする。
ここで、一次層に描く意匠には、模様、文字、記号、キャラクター等の絵を含むものとする。
また、二次層を構成する水反応剤は、水に濡れることで吸水して光透過性を発現することによって、意匠を描いた一次層を透視できるものを好適に用いることができる。
また、一次層及び／又は二次層の形成は、歯ブラシの植毛部及び／又はハンドル部に直接形成するほか、例えば、合成樹脂製フィルムからなるシートに形成し、このシートを貼着するようにすることもできる。
【０００６】
この場合において、歯ブラシのハンドル部内に導水部を介して２つの中空室を形成し、その一方の中空室の内表面に、意匠を描いた一次層を隠蔽するように水反応剤にて印刷した二次層を形成し、他方の中空室内に水を封入するようにすることができる。
【０００７】
さらに、導水部に通水量の制限機構を配設し、歯ブラシが動かされることによって、他方の中空室から一方の中空室に、漸次、水が移動するようにすることができる。
【発明の効果】
【０００８】
本発明の歯ブラシによれば、歯ブラシの植毛部及び／又はハンドル部に、意匠を描いた一次層と、該一次層を隠蔽するように水反応剤にて印刷した二次層とを形成することにより、歯磨きをするとき、水反応剤にて印刷した二次層が水で濡れることで光不透過の二次層の水反応剤が吸水して光透過性を発現することによって、意匠を描いた一次層を透視できるものとなり、歯磨きの前後で歯ブラシの意匠変化を視認できるので、幼い子供たちでも楽しく歯磨きを行って自然に歯磨きの習慣を持たせるようにすることができる。
【０００９】
また、歯ブラシのハンドル部内に導水部を介して２つの中空室を形成し、その一方の中空室の内表面に、意匠を描いた一次層を隠蔽するように水反応剤にて印刷した二次層を形成し、他方の中空室内に水を封入するようにすることにより、歯磨きによって歯ブラシが動かされることで、意匠変化を確実に発現させることができる。
【００１０】
さらに、導水部に通水量の制限機構を配設し、歯ブラシが動かされることによって、他方の中空室から一方の中空室に、漸次、水が移動するようにすることにより、意匠変化の発現時間を調節することができ、幼い子供たちでも一定時間の歯磨きの習慣を持たせるようにすることができる。
【発明を実施するための最良の形態】
【００１１】
以下、本発明の歯ブラシの実施の形態を、図面に基づいて説明する。
【実施例１】
【００１２】
図１〜図２に、本発明の歯ブラシの第１実施例を示す。
図１に歯ブラシの外観形状を示すが、この歯ブラシの外観形状は、特に限定されるものではない。
この歯ブラシ１の植毛部１ａ及び／又はハンドル部１ｂに、その全体或いはその一部に、図２に示すように、意匠１１ａ、特に限定されるものではないが、例えば、模様、文字、記号、キャラクター等の子供たちが喜ぶ意匠を描いた一次層１１を形成する。
【００１３】
一次層１１は、歯ブラシ１を透明或いは不透明の合成樹脂にて形成する際に、同時に意匠を印刷等により描いたシートを埋設するか、直接印刷等により描くか、或いは歯ブラシの形成後に、意匠を印刷等により描いたシートを貼着してもよい。
いずれにしても、この一次層１１に描いた意匠１１ａは、擦ったり、水に濡れても、消失しないように印刷その他の方法で形成するようにする。
【００１４】
意匠１１ａを描いた一次層１１の上に形成することにより意匠１１ａを隠蔽する水反応剤にて印刷した二次層１２は、図２に示すように、一次層１１の上に直接塗布或いはシートを貼着することにより形成するようにする。
この水反応剤は、乾燥した状態では、その表面は白く光不透過（不透明）となり、一次層１１の意匠１１ａを隠蔽するとともに、水反応剤にて印刷した二次層１２が水で濡れることで光不透過の二次層１２の水反応剤が吸水して光透過性を発現（透明化）することによって、一次層１１の意匠１１ａを透視できるものである。
【００１５】
ここで、二次層１２にシートを用いる場合のより具体的な例を説明する。
シートは、白色若しくは淡色の高度に光不透過性（不透明）の外観を呈し、水反応剤からなる二次層１２が極めて吸水し易く、吸水により光透過性を発現（透明化）するが、吸水によっても二次層１２が剥離することなく、水の蒸発によって再び元の外観に戻り、吸水−乾燥の繰り返しによっても、しわ、やぶれ等を発生することがないようにする。
シートの基材には、ポリエチレン、ポリ塩化ビニル、ポリプロピレン、ポリエステル、ポリエチレンテレフタレート、ポリビニルアルコール、ナイロン、アセテート等の透明な合成樹脂製フィルムを用いることができる。
二次層１２を構成する水反応剤は、屈折率が１．７以下の白色顔料を主体として含むことが好ましい。
白色顔料としては、屈折率１．７以下のもの、例えば、合成シリカ、タルク、白土、炭酸カルシウム等が用いられる。二酸化チタンその他の屈折率の高いものの使用は、本発明の目的達成のためには好ましくはないが、補助的に使用することを制限するものではない。
結合剤としては、例えば、カゼイン、澱粉、合成ラテックス、セルロース誘導体等の合成樹脂製フィルムとの親和性がよく、かつ透明性が得られるものが選ばれ、特に、アクリル系ラテックス、ＳＢＲ系ラテックスが好適である。
二次層１２は、上記の材料のほか、カーボンブラック等の他の顔料を添加した塗料を塗工することによって形成することができる。
【００１６】
なお、二次層１２は、必ずしも隠し印刷のように、乾燥時にすべてを光不透過性（不透明）とし、吸水により光透過性を発現（透明化）するようにする必要はなく、例えば、有色色素によって部分的に一次層１１に描く意匠１１ａとは異なる意匠を描くようにすることも可能である。
これにより、常に二次層１２は含有する有色色素にて発色しており、水を付けることで、下層に隠蔽された一次層１１の意匠１１ａが出現するようにすることができ、これによって、一次層１１の意匠１１ａと二次層１２の意匠とを同時に視認することができるようにしてもよい。
【００１７】
そして、一次層１１に描く意匠１１ａは、特に限定されるものではないが、上記のとおり、例えば、アニメのキャラクター等にすれば、歯磨きにより二次層１２が水に濡れて光透過性を発現（透明化）することによって、今まで隠蔽されていた一次層１１の意匠１１ａが出現することで、子供たちが喜び、歯磨きに楽しみを覚えるようになって、歯磨きを習慣づけ易くなる。
【００１８】
また、この二次層１２は、直接一次層１１の上面に塗布することなく、図３に示す変形実施例のように、貼着ラベルとして構成することもできる。
具体的には、貼着ラベルは、透明な貼着ラベルの基材１２ｂの表面に、必要に応じて意匠１２ａ（この場合、当該意匠１２ａを一次層１１の意匠１１ａとして代用することもできる。）を描き、その上に、水反応剤からなる二次層１２を形成し、一方、裏面に貼着剤１２ｃを塗布して構成することができる。
これにより、市販されている歯ブラシに貼着ラベルを貼着するだけで、簡単に市販の歯ブラシを、簡易に子供たちの興味を持つ歯ブラシにすることができる。
【実施例２】
【００１９】
図４に、本発明の歯ブラシの第２実施例を示す。
この歯ブラシ１は、歯ブラシ１の植毛部及び／又はハンドル部を、有色或いは無色の透明な合成樹脂材質で形成し、その片面側に描かれた意匠が反対側面よりも容易に視認できるようにするとともに、その両方の面に、意匠１１ａを描いた一次層１１と、この一次層１１を隠蔽するように水反応剤にて印刷した二次層１２とを、それぞれ形成するようにしている。
この場合、一次層１１に描く意匠１１ａは、特に限定されるものではないが、例えば、一方の意匠１１ａにばい菌をイメージしたデザインを描き、他方の意匠１１ａにばい菌を攻撃する物やキャラクターをイメージしたデザインを描くようにすることにより、子供たちは歯磨きとはどのような作用をするのかを視認し、かつ歯磨きを楽しみとすることができる。
そして、歯ブラシ１の植毛部及び／又はハンドル部の両方の面に、意匠１１ａを描いた一次層１１と、この一次層１１を隠蔽するように水反応剤にて印刷した二次層１２とを、それぞれ形成するようにすることにより、乾燥した状態では、二次層１２の表面は白く光不透過（不透明）となり、一次層１１の意匠１１ａを隠蔽するとともに、歯磨きをすることにより、水反応剤にて印刷した二次層１２が水で濡れることで光不透過の二次層１２の水反応剤が吸水して光透過性を発現（透明化）することによって、歯ブラシ１の歯ブラシの植毛部及び／又はハンドル部を介してその両方の面に描かれた一次層１１の意匠１１ａが立体感をもって透視できるものとなる。
【実施例３】
【００２０】
図５（ａ）に、本発明の歯ブラシの第３実施例を示す。
この歯ブラシ１は、歯ブラシ１のハンドル部１ｂを、有色或いは無色の透明な合成樹脂材質で形成し、ハンドル部１ｂ内に導水部２ｃを介して２つの中空室２ａ、２ｂを形成し、その一方の中空室２ａの内表面に、意匠を描いた一次層１１を隠蔽するように水反応剤にて印刷した二次層１２を形成し、他方の中空室２ｂ内に所要量の水Ｗを封入して構成する。
【００２１】
これにより、乾燥した状態では、二次層１２の表面は白く光不透過（不透明）となり、一次層１１の意匠を隠蔽するとともに、歯磨きをすることにより、歯ブラシ１が動かされることによって、導水部２ｃを介して他方の中空室２ｂから一方の中空室２ａに水が移動し、確実に水反応剤にて印刷した二次層１２が水で濡れることで光不透過の二次層１２の水反応剤が吸水して光透過性を発現（透明化）することによって、一次層１１の意匠を透視できるものとなる。
そして、使用後、歯ブラシ１を垂直に立てておくことにより、導水部２ｃを介して一方の中空室２ａから他方の中空室２ｂに水が移動し、一方の中空室２ａが乾燥することにより、二次層１２の表面は白く光不透過（不透明）となり、一次層１１の意匠が隠蔽された元の状態に戻すことができる。
【００２２】
また、図５（ｂ）に示す変形実施例のように、導水部２ｃに通水量の制限機構２ｄ、具体的には、絞り部を配設し、歯磨きの際に歯ブラシ１が動かされることによって、他方の中空室２ｂから一方の中空室２ａに、漸次（例えば、数分程度の時間をかけて）、水が移動するように構成することができる。
これにより、意匠変化の発現時間を調節することができ、幼い子供たちでも一定時間の歯磨きの習慣を持たせるようにすることができる。
【００２３】
以上、本発明の歯ブラシについて、複数の実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の歯ブラシは、楽しく歯磨きを行って自然に歯磨きの習慣を持たせるようにすることができることから、幼い子供たち歯磨きの習慣を培うようにした歯ブラシの用途に好適に用いることができる。
【図面の簡単な説明】
【００２５】
【図１】本発明の歯ブラシの第１実施例を示す外観斜視図である。
【図２】一次層と二次層部の拡大断面図である。
【図３】変形実施例の貼着シートの断面図である。
【図４】本発明の歯ブラシの第２実施例を示す一次層と二次層の断面図である。
【図５】本発明の歯ブラシの第３実施例を示し、（ａ）は要部の断面図、（ｂ）は変形実施例の導水部の断面図である。
【符号の説明】
【００２６】
１    歯ブラシ
１ａ  歯ブラシの植毛部
１ｂ  歯ブラシのハンドル部
１１  一次層
１２  二次層
１１ａ  意匠
２ａ  中空室
２ｂ  中空室
２ｃ  導水部
２ｄ  通水量の制限機構
【図１】
2010005107.tif 000003
【図２】
2010005107.tif 000004
【図３】
2010005107.tif 000005
【図４】
2010005107.tif 000006
【図５】
2010005107.tif 000007